(57)【要約】【課題】ころを挿入しやすく、回転時のころの振動を抑制することができ、かつ、安定的にころを回転させることができるようにすることを目的とする。【解決手段】外輪１１、内輪１４、ころ１３、くし歯状保持器１２からなり、外輪１１は、その両側に鍔１１ａを有し、くし歯状保持器１２は、円筒状の円環部１２ａと、この円環部１２ａの両側にそれぞれ所定間隔を開けて設けられた柱状部１２ｂ，１２ｃから構成され、柱状部１２ｂ，１２ｃと隣接する柱状部１２ｂ，１２ｃとの間のポケット部に、少なくとも２つのころ１３が直列に配され、柱状部１２ｂの側面に、ころ１３をポケット部内に支持する支持部を形成し、また、柱状部１２ｃの先端部１２ｅに、くし歯状保持器１２の径方向から、ころ１３を挿入することが可能な形状を形成し、柱状部１２ｃの先端部１２ｅ以外の部分の側面に、ころ１３をポケット部内に支持する支持部を形成する。【選択図】図１
2008240766.tif 000002
【特許請求の範囲】
【請求項１】
外輪、内輪、ころ、くし歯状保持器からなり、上記の外輪又は内輪は、その両側に鍔を有し、上記くし歯状保持器は、円筒状の円環部と、この円環部の両側にそれぞれ所定間隔を開けて設けられた柱状部から構成され、上記の柱状部と隣接する柱状部との間のポケット部に、少なくとも２つの上記ころが直列に配される転がり軸受において、
上記円環部の一方の側面に形成される柱状部の側面には、上記ころを上記ポケット部内に支持する支持部が形成され、
また、上記円環部の他方の側面に形成される柱状部の先端部は、円筒状の上記くし歯状保持器の径方向から、上記ころを挿入することが可能な形状を有し、
さらに、上記円環部の他方の側面に形成される柱状部の上記先端部以外の部分の側面には、上記ころを上記ポケット部内に支持する支持部が形成された転がり軸受。
【請求項２】
上記くし歯状保持器は、金属を機械加工して得られるものである請求項１に記載の転がり軸受。
【請求項３】
上記くし歯状保持器は、高分子材料を射出成形加工して得られるものである請求項１に記載の転がり軸受。
【発明の詳細な説明】
【技術分野】
【０００１】
この発明は、転がり軸受、詳しくは、くし歯状保持器として、その一方の側の柱状部の先端に、径方向にころの挿入が可能な部分を設けた保持器を用いた転がり軸受に関する。
【背景技術】
【０００２】
従来、図５にしめすように、鍔１ａ，１ｂを有する外輪１を用いた複列円筒ころ軸受の保持器２として、円環部２ａの両側にころ３の保持用の柱状部２ｂ、２ｂを突出させたくし歯状のもみ抜き保持器が用いられている。この軸受では、組立に際して、図５の右列のころ３を外輪１に配し、この状態で保持器２を外輪１に組み込んだ後、左列のころ３を鍔１ａの周方向の一部に設けられた入れ溝４から保持器２に挿入する方法が採用されている。
【０００３】
しかし、この組立方法では、保持器の柱状部２ｂの長さを長く設計した場合や、外輪１の内径部に入れ溝４が設けられない場合、例えば、外輪１にシールを装着する場合等に、左列のころ３の組み込みが困難となる。また、入れ溝４が存在していると、回転時、ころ３がこの入れ溝４の上を通過する際に振動が生じやすくなる。
【０００４】
これに対し、図６に示すように、円環部２’ａの両側にころ３の保持用の柱状部２’ｂ、２’ｂを突出させたくし歯状の保持器２’の各柱状部２’ｂの保持器内径側の両側縁に、ころ３の保持器内径側への脱落を阻止する落ち止め爪５を設けたものが特許文献１に記載されている。この落ち止め爪５を設けることにより、ころ３が保持器２’の内径側に脱落しないで保持される。さらに、落ち止め爪５を設けた保持器２’の内径側より、ころ３を保持器のポケット部に押し込むことができ、外輪に入れ溝を設けなくても、ころ３の保持器２’への組込みが可能となる（特許文献１）。
【０００５】
【特許文献１】特開平９−２３６１２９号公報
【発明の開示】
【発明が解決しようとする課題】
【０００６】
しかしながら、上記保持器２’は、ころ３をかち込む為に専用の治工具（圧入装置、治具）が必要であり、少ロット品でも治工具が必要となりコストが掛かる。
【０００７】
そこで、この転がり軸受にかかる発明は、ころを挿入しやすく、回転時のころの振動を抑制することができ、かつ、安定的にころを回転させることができるようにすることを目的とする。
【課題を解決するための手段】
【０００８】
この発明にかかる転がり軸受は、外輪、内輪、ころ、くし歯状保持器からなり、上記の外輪又は内輪は、その両側に鍔を有し、上記くし歯状保持器は、円筒状の円環部と、この円環部の両側にそれぞれ所定間隔を開けて設けられた柱状部から構成され、上記の柱状部と隣接する柱状部との間のポケット部に、少なくとも２つの上記ころが直列に配される転がり軸受において、上記円環部の一方の側面に形成される柱状部の側面に、上記ころを上記ポケット部内に支持する支持部を形成し、また、上記円環部の他方の側面に形成される柱状部の先端部に、円筒状の上記くし歯状保持器の径方向から、上記ころを挿入することが可能な形状を形成し、さらに、上記円環部の他方の側面に形成される柱状部の上記先端部以外の部分の側面に、上記ころを上記ポケット部内に支持する支持部を形成することを特徴とする。
【発明の効果】
【０００９】
この発明は、くし歯状保持器の円環部の他方の側面に形成される柱状部の先端部に、円筒状のくし歯状保持器の径方向から、ころを挿入することが可能な形状を形成するので、鍔部を有する外輪又は内輪に、ころを挿入するための入れ溝を設ける必要性がなくなり、ころを挿入することが容易となり、かつ、回転時のころの振動を抑制することができる。
また、このくし歯状保持器を用いるので、ころが挟まって、回転を阻害するという現象が起こりにくくなり、安定的にころを回転させることができる。
【発明を実施するための最良の形態】
【００１０】
以下、この発明について、図１〜図４を用いて説明する。
この発明にかかる転がり軸受は、図１に示すように、外輪１１、内輪１４、ころ１３、くし歯状保持器１２からなる多列の転がり軸受である。
【００１１】
図１において、外輪１１は、両側に鍔１１ｂを有する。また、必要に応じて、外輪１１の中央部に鍔１１ｂを設けてもよい。なお、図１においては、外輪１１に鍔を設けたが、外輪１１の代わりに内輪１４に鍔を設けてもよい。以降においては、外輪１１に鍔を設けた場合について説明する。
【００１２】
上記くし歯状保持器１２は、図２に示すように、円筒状の円環部１２ａと、この円環部１２ａの両側にそれぞれ所定間隔を開けて設けられた柱状部１２ｂ、１２ｃから構成される。そして、図３に示すように、柱状部１２ｂ、１２ｃと隣接する柱状部１２ｂ、１２ｃとの間のポケット部１２’ｂ、１２’ｃのそれぞれに、少なくとも２つのころ１３が直列に配される。このくし歯状保持器１２は、図２や図３に示すように円環部１２ａの両側にそれぞれ柱状部１２ｂ、１２ｃが設けられた両くし型なので、この発明にかかる多列の転がり軸受は、少なくとも４列の転がり軸受となる。
【００１３】
上記くし歯状保持器１２を構成する材料としては、金属、高分子材料等をあげることができる。上記金属としては、炭素鋼、高力黄銅、アルミニウム又はアルミニウム合金等をあげることができる。さらに、上記高分子材料としては、ポリアミド、ポリエーテルエーテルケトン、ポリフェニレンサルファイド等があげられる。
【００１４】
上記の金属を用いる場合、機械加工により、上記くし歯状保持器１２を得ることができ、また、上記の高分子材料を用いる場合、射出成形加工により、上記くし歯状保持器１２を得ることができる。
【００１５】
上記くし歯状保持器１２の円環部１２ａの一方の側面に形成される柱状部１２ｂの側面には、上記ポケット部１２’ｂ内に、上記ころ１３を支持する支持部１２ｄが形成される。この支持部１２ｄは、ころ１３をポケット部１２’ｂに挿入したとき、円環状のくし歯状保持器１２の内径方向に落下するのを防止する構造を有する。
【００１６】
また、上記くし歯状保持器１２の円環部１２ａの他方の側面に形成される柱状部１２ｃの先端部１２ｅは、円筒状の上記くし歯状保持器１２の径方向、特に内径方向から、ポケット部１２’ｃの先端部へ上記ころ１３を挿入・脱離することが可能な形状を有する。その例として、図２にしめすように、この柱状部１２ｃの先端部１２ｅの側面が平面状で、かつ、この柱状部１２ｃの先端部１２ｅの位置のポケット部１２’ｃの内径側の幅及び長さを、ころ１３の径及び長さより大きくなるようにした形状があげられる。
【００１７】
そして、上記柱状部１２ｃの先端部１２ｅ以外の部分の側面には、上記支持部１２ｄと同様な、ころ１３をポケット部１２’ｃ内に支持する支持部１２ｆが形成される。これにより、図３、図４に示すように、ポケット部１２’ｃの先端部に、上記くし歯状保持器１２の径方向（図３，図４では内径方向）からころ１３を挿入し、次いで、ポケット部１２’ｃの内部であって、支持部１２ｆが設けられた部分に上記ころ１３をスライドさせることができる。
【００１８】
次に、この発明にかかる転がり軸受の組み立てについて、図３、図４を用いて説明する。まず、図３に示すように、くし歯状保持器１２のポケット部１２’ｂに、ころ１３を挿入する。次いで、このくし歯状保持器１２を、図４に示すように、両側に鍔１１ａを有する外輪１１に挿入する。この場合、くし歯状保持器１２に挿入されたころ１３は、鍔１１ａにより、外部へ出るのが防止される。
【００１９】
そして、くし歯状保持器１２の柱状部１２ｃで構成されるポケット部１２’ｃの先端部に、くし歯状保持器１２の内径方向からころ１３を挿入する。そして、挿入されたころ１３を、くし歯状保持器１２の円環部１２ａの方に移動させる。
【００２０】
次に、上記の方法で、ポケット部１２’ｃにころ１３を入れる作業を繰り返し、ポケット部１２’ｃの先端部までころ１３を入れる。そして、内輪１４（図４には記載せず。）を配して、この発明にかかる転がり軸受を組み立てる。
【００２１】
上記のポケット部１２’ｃの先端部の位置のころ１３は、支持部１２ｆがないため、このままでは、くし歯状保持器１２から内径方向に脱落する。このころ１３については、ポケット部１２’ｃの先端部の位置にころ１３を挿入した後、内輪１４を配することにより、このころ１３を、所定位置に保持することが可能となる。
【図面の簡単な説明】
【００２２】
【図１】この発明にかかる多列の転がり軸受の例を示す一部拡大断面図
【図２】図１で用いられるくし歯状保持器の例を示す斜視図
【図３】図２のくし歯状保持器にころを組み入れた状態を示す斜視図
【図４】この発明において、外輪にくし歯状保持器及びころを組み入れる様子を示す断面図
【図５】従来の、外輪にくし歯状保持器及びころを組み入れる様子を示す断面図
【図６】従来のくし歯状保持器の例を示す斜視図
【符号の説明】
【００２３】
１  外輪
１ａ，１ｂ  鍔
２，２’  くし歯状保持器
２ａ，２’ａ  円環部
２ｂ，２’ｂ  柱状部
３  ころ
４  入れ溝
５  落ち止め爪
１１  外輪
１１ａ，１１ｂ  鍔
１２  保持器
１２ａ  円環部
１２ｂ，１２ｃ  柱状部
１２ｄ，１２ｆ  支持部
１２ｅ  先端部
１２’ｂ，１２’ｃ  ポケット部
１３  ころ
１４  内輪
【図１】
2008240766.tif 000003
【図２】
2008240766.tif 000004
【図３】
2008240766.tif 000005
【図４】
2008240766.tif 000006
【図５】
2008240766.tif 000007
【図６】
2008240766.tif 000008